(57)【要約】  タッチスクリーン（２４）は、複数の設備機器（３００）のうち少なくとも２つの設備機器（３００）の連動制御を設定する操作である連動設定操作を、ユーザから受け付ける。タッチスクリーン（２４）は、連動設定操作が受け付けられた場合、制御装置（１００）に連動制御を実行させることを指示する操作である連動指示操作を受け付けるためのアイコンである連動指示アイコンを提示する操作画面を表示する。タッチスクリーン（２４）は、連動指示操作をユーザから受け付ける。プロセッサ（１１）は、連動指示操作がなされた場合、連動制御の内容に基づいて、少なくとも２つの設備機器（３００）を連動制御する。
2019163144.tif 000002
【特許請求の範囲】
【請求項１】
第１ネットワークを介して複数の設備機器に接続される制御装置と、第２ネットワークを介して前記制御装置に接続される端末装置と、を備える制御システムであって、
前記端末装置は、
前記複数の設備機器のうち少なくとも２つの設備機器の連動制御を設定する操作である連動設定操作を、ユーザから受け付ける操作受付手段と、
前記連動設定操作が受け付けられた場合、前記連動制御の内容を示す情報である連動内容情報を、前記制御装置に送信する通信手段と、
前記連動設定操作が受け付けられた場合、前記制御装置に前記連動制御を実行させることを指示する操作である連動指示操作を受け付けるためのアイコンである連動指示アイコンを提示する操作画面を表示する表示手段と、を備え、
前記制御装置は、
前記端末装置から前記連動内容情報を受信する通信手段と、
前記連動内容情報を記憶する記憶手段と、を備え、
前記操作受付手段は、前記連動指示操作を前記ユーザから受け付け、
前記端末装置が備える前記通信手段は、前記連動指示操作が受け付けられた場合、前記連動指示操作がなされたことを示す情報である連動指示操作情報を、前記制御装置に送信し、
前記制御装置が備える前記通信手段は、前記端末装置から前記連動指示操作情報を受信し、
前記制御装置は、前記連動指示操作情報が受信された場合、前記連動内容情報により示される前記連動制御の内容に基づいて、前記少なくとも２つの設備機器を連動制御する制御手段を更に備える、
制御システム。
【請求項２】
前記操作画面は、前記制御装置に前記複数の設備機器のそれぞれに対する個別制御を実行させることを指示する操作である個別指示操作を受け付けるための複数の個別アイコンを提示し、
前記操作受付手段は、前記操作画面が表示されているときに、前記複数の個別アイコンに対する前記個別指示操作と、前記複数の個別アイコンのうち少なくとも１つの個別アイコンを用いた前記連動設定操作とを、前記ユーザから受け付ける、
請求項１に記載の制御システム。
【請求項３】
前記記憶手段は、前記複数の設備機器のうち少なくとも２つの設備機器と、前記少なくとも２つの設備機器に対する制御内容と、を含む複数の連動パターンを示す情報である連動パターン情報を記憶し、
前記表示手段は、前記複数の設備機器のうち第１設備機器に対応する個別アイコンが指定され、前記複数の連動パターンに、前記第１設備機器と前記複数の設備機器のうち第２設備機器とを含む連動パターンである第１連動パターンが含まれている場合、前記第２設備機器に対応する個別アイコンを、指定可能な個別アイコンであることを明示する態様で表示する、
請求項２に記載の制御システム。
【請求項４】
前記記憶手段は、前記複数の連動パターンのそれぞれと、省エネと防犯と利便性の向上と快適性の向上とのうち少なくとも１つの効果とが対応付けられた効果情報を記憶し、
前記表示手段は、前記第１設備機器に対応する前記個別アイコンが指定され、前記複数の連動パターンに前記第１連動パターンが含まれている場合、前記第２設備機器に対応する個別アイコンを、前記効果情報により前記第１連動パターンに対応付けられた少なくとも１つの効果に対応する態様で表示する、
請求項３に記載の制御システム。
【請求項５】
前記記憶手段は、前記複数の連動パターンのそれぞれが、推奨される連動パターンであるか否かを示す推奨可否情報を記憶し、
前記表示手段は、前記第１設備機器に対応する前記個別アイコンが指定され、前記複数の連動パターンに前記第１連動パターンが含まれ、前記推奨可否情報により前記第１連動パターンが推奨される連動パターンであることが示されている場合、前記第２設備機器に対応する個別アイコンを、連動対象として推奨される設備機器に対応する個別アイコンであることを明示する態様で表示する、
請求項３に記載の制御システム。
【請求項６】
前記記憶手段は、警告すべき連動パターンである少なくとも１つの警告連動パターンを示す情報である警告連動パターン情報を記憶し、
前記表示手段は、前記ユーザにより指定された連動パターンである指定連動パターンが、前記少なくとも１つの警告連動パターンのうちいずれかの警告連動パターンと一致する場合、前記指定連動パターンが前記警告すべき連動パターンであることを警告する警告画面を表示する、
請求項３から５のいずれか１項に記載の制御システム。
【請求項７】
前記警告画面は、前記指定連動パターンを採用することの可否を問い合わせる情報を提示する画面であり、
前記表示手段は、前記操作受付手段が前記指定連動パターンを採用することを指示する操作である採用指示操作を前記ユーザから受け付けた場合、前記指定連動パターンに対応する前記連動指示アイコンを提示する前記操作画面を表示する、
請求項６に記載の制御システム。
【請求項８】
第３ネットワークを介して前記制御装置に接続されるクラウドサーバを更に備え、
前記クラウドサーバは、
推奨される連動パターンである推奨連動パターンを示す推奨連動パターン情報を記憶する記憶手段と、
前記クラウドサーバが備える前記記憶手段に記憶された前記推奨連動パターン情報を、前記制御装置に送信する通信手段と、を備え、
前記制御装置が備える前記通信手段は、前記クラウドサーバから前記推奨連動パターン情報を受信し、受信した前記推奨連動パターン情報を前記端末装置に送信し、
前記端末装置が備える前記通信手段は、前記制御装置から前記推奨連動パターン情報を受信し、
前記表示手段は、前記操作受付手段が前記連動設定操作を前記ユーザから受け付ける場合、前記推奨連動パターンを提示する前記操作画面を表示する、
請求項１から７のいずれか１項に記載の制御システム。
【請求項９】
第１ネットワークを介して複数の設備機器に接続される制御装置であって、
前記複数の設備機器のうち少なくとも２つの設備機器の連動制御を設定する操作である連動設定操作を、ユーザから受け付ける操作受付手段と、
前記連動設定操作が受け付けられた場合、前記連動制御の内容を示す情報である連動内容情報を記憶する記憶手段と、
前記連動設定操作が受け付けられた場合、前記制御装置に前記連動制御を実行させることを指示する操作である連動指示操作を受け付けるためのアイコンである連動指示アイコンを提示する操作画面を表示する表示手段と、
前記操作受付手段が前記連動指示操作を前記ユーザから受け付けた場合、前記連動内容情報により示される前記連動制御の内容に基づいて、前記少なくとも２つの設備機器を連動制御する制御手段と、を備える、
制御装置。
【請求項１０】
複数の設備機器のうち少なくとも２つの設備機器の連動制御を設定する操作である連動設定操作を、ユーザから受け付け、
前記連動設定操作が受け付けられた場合、制御装置に前記連動制御を実行させることを指示する操作である連動指示操作を受け付けるためのアイコンである連動指示アイコンを提示する操作画面を表示し、
前記連動指示操作を前記ユーザから受け付けた場合、前記少なくとも２つの設備機器を連動制御する、
制御方法。
【請求項１１】
第１ネットワークを介して複数の設備機器に接続される制御装置が備えるコンピュータを、
前記複数の設備機器のうち少なくとも２つの設備機器の連動制御を設定する操作である連動設定操作を、ユーザから受け付ける操作受付手段、
前記連動設定操作が受け付けられた場合、前記制御装置に前記連動制御を実行させることを指示する操作である連動指示操作を受け付けるためのアイコンである連動指示アイコンを提示する操作画面を表示する表示手段、
前記操作受付手段が前記連動指示操作を前記ユーザから受け付けた場合、前記少なくとも２つの設備機器を連動制御する制御手段、として機能させる、
プログラム。
【発明の詳細な説明】
【技術分野】
【０００１】
本発明は、制御システム、制御装置、制御方法、及び、プログラムに関する。
【背景技術】
【０００２】
現在、制御装置がネットワークを介して複数の設備機器を制御する制御システムが知られている。このような制御システムとして、例えば、ＨＥＭＳ（Home Energy Management System）コントローラが、宅内ネットワークを介して、宅内に設置された複数の設備機器を監視及び制御するＨＥＭＳ（Home Energy Management System）が知られている。【０００３】
現在、このような制御システムにおいて、制御装置が複数の設備機器を連動又は連携させて制御する種々の技術が知られている。例えば、特許文献１には、第１の機器と第２の機器とを連携して制御するホームサーバが記載されている。このホームサーバは、機器連携制御の利用を促進するために、第１の機器と第２の機器とが連携して実現可能な動作内容を提示する画面を操作端末に表示させる。
【先行技術文献】
【特許文献】
【０００４】
【特許文献１】特開２００６−３１９９６０号公報
【発明の概要】
【発明が解決しようとする課題】
【０００５】
ところで、現在、簡単な操作で複数の設備機器を自由に連動させたいという要望がある。しかしながら、特許文献１に記載された技術では、連携可能な設備機器及び機能の組み合わせが予め定められており、設備機器及び機能を自由に連携させることができなかった。また、特許文献１に記載された技術では、連携の設定や連携の実行に要する操作が複雑であった。このため、簡単な操作で複数の設備機器を自由に連動させることが可能な利便性の高い制御システムが望まれている。【０００６】
本発明は、上記問題に鑑みてなされたものであり、簡単な操作で複数の設備機器を自由に連動させる制御システム、制御装置、制御方法、及び、プログラムを提供することを目的とする。
【課題を解決するための手段】
【０００７】
上記目的を達成するために、本発明に係る制御システムは、
第１ネットワークを介して複数の設備機器に接続される制御装置と、第２ネットワークを介して前記制御装置に接続される端末装置と、を備える制御システムであって、
前記端末装置は、
前記複数の設備機器のうち少なくとも２つの設備機器の連動制御を設定する操作である連動設定操作を、ユーザから受け付ける操作受付手段と、
前記連動設定操作が受け付けられた場合、前記連動制御の内容を示す情報である連動内容情報を、前記制御装置に送信する通信手段と、
前記連動設定操作が受け付けられた場合、前記制御装置に前記連動制御を実行させることを指示する操作である連動指示操作を受け付けるためのアイコンである連動指示アイコンを提示する操作画面を表示する表示手段と、を備え、
前記制御装置は、
前記端末装置から前記連動内容情報を受信する通信手段と、
前記連動内容情報を記憶する記憶手段と、を備え、
前記操作受付手段は、前記連動指示操作を前記ユーザから受け付け、
前記端末装置が備える前記通信手段は、前記連動指示操作が受け付けられた場合、前記連動指示操作がなされたことを示す情報である連動指示操作情報を、前記制御装置に送信し、
前記制御装置が備える前記通信手段は、前記端末装置から前記連動指示操作情報を受信し、
前記制御装置は、前記連動指示操作情報が受信された場合、前記連動内容情報により示される前記連動制御の内容に基づいて、前記少なくとも２つの設備機器を連動制御する制御手段を更に備える。
【発明の効果】
【０００８】
本発明では、連動設定操作が受け付けられた場合、連動指示操作を受け付けるためのアイコンである連動指示アイコンを提示する操作画面が表示され、連動指示操作が受け付けられた場合、少なくとも２つの設備機器が連動制御される。従って、本発明によれば、簡単な操作で複数の設備機器を自由に連動させることができる。
【図面の簡単な説明】
【０００９】
【図１】本発明の実施形態１に係る制御システムの構成図
【図２】本発明の実施形態１に係る制御装置の機能構成図
【図３】本発明の実施形態１に係る端末装置の機能構成図
【図４】連動パターン情報を示す図
【図５】警告連動パターン情報を示す図
【図６】本発明の実施形態１に係る端末装置が実行する操作画面表示処理を示すフローチャート
【図７】図６に示す設定画面表示処理を示すフローチャート
【図８】本発明の実施形態１に係る制御装置が実行する連動制御処理を示すフローチャート
【図９】対象機器の選択前に表示される操作画面を示す図
【図１０】対象機器の選択後に表示される操作画面を示す図
【図１１】設定画面を示す図
【図１２】連動指示アイコンを提示する操作画面を示す図
【図１３】警告画面を示す図
【図１４】本発明の実施形態２に係る制御システムの構成図
【図１５】本発明の実施形態２に係る制御装置の機能構成図
【図１６】本発明の実施形態３に係る制御装置の機能構成図
【発明を実施するための形態】
【００１０】
（実施形態１）
まず、図１を参照して、本発明の実施形態１に係る制御システム１０００の構成について説明する。制御システム１０００は、少なくとも２つの設備機器３００の連動制御を実行するシステムである。本明細書において、連動制御とは、ある設備機器３００を制御するとともに他の設備機器３００を連動させて制御する一括制御と、ある設備機器３００から出力される情報に基づいて他の設備機器３００を制御する連携制御とのいずれをも含む概念である。本実施形態では、連動制御が一括制御である例について説明する。
【００１１】
制御システム１０００は、ユーザが自由に連動制御を設定できるように、連動制御の設定の自由度が高く設定されている。また、制御システム１０００は、ユーザが連動制御を簡単な操作で実行できるように、設定された連動制御を指示するための連動指示アイコンを生成する。また、制御システム１０００は、管理画面ではなく、操作画面において、制連動御の設定と連動制御の実行とが可能なシステムである。制御システム１０００は、例えば、ＨＥＭＳ（Home Energy Management System）である。
【００１２】
図１に示すように、制御システム１０００は、制御装置１００と端末装置２００とを備える。制御装置１００と端末装置２００とは、ネットワーク５１０により接続される。制御装置１００と複数の設備機器３００とは、ネットワーク５２０により接続される。ネットワーク５１０とネットワーク５２０とは、例えば、宅内に構築される無線ＬＡＮ（Local Area Network）である。なお、ネットワーク５１０とネットワーク５２０とが１つのネットワークに統一されていてもよい。第１ネットワークは、例えば、ネットワーク５１０に対応する。第２ネットワークは、例えば、ネットワーク５２０に対応する。
【００１３】
制御装置１００は、制御システム１０００の中核をなす装置であり、複数の設備機器３００を制御及び監視する。制御装置１００は、プロセッサ１１と、フラッシュメモリ１２と、第１通信インターフェース１３と、を備える。プロセッサ１１は、制御装置１００の全体の動作を制御する。プロセッサ１１は、例えば、ＲＯＭ（Read Only Memory）、ＲＡＭ（Random Access Memory）、ＲＴＣ（Real Time Clock）などを内蔵したＣＰＵ（Central Processing Unit）である。なお、ＣＰＵは、例えば、ＲＯＭに格納されている基本プログラムに従って動作し、ＲＡＭをワークエリアとして使用する。
【００１４】
フラッシュメモリ１２は、各種の情報を記憶する不揮発性メモリである。フラッシュメモリ１２は、例えば、プロセッサ１１が実行するプログラムを記憶する。第１通信インターフェース１３は、制御装置１００をネットワーク５１０とネットワーク５２０とに接続するための通信インターフェースである。第１通信インターフェース１３は、例えば、無線ＬＡＮ用の通信インターフェースである。制御装置１００は、例えば、ＨＥＭＳにおけるＨＥＭＳコントローラである。
【００１５】
端末装置２００は、制御装置１００のユーザインターフェースとして機能する装置である。端末装置２００は、例えば、ユーザから操作を受け付け、ユーザに情報を提示する。端末装置２００は、プロセッサ２１と、フラッシュメモリ２２と、通信インターフェース２３と、タッチスクリーン２４と、を備える。プロセッサ２１は、端末装置２００の全体の動作を制御する。プロセッサ２１は、例えば、ＲＯＭ、ＲＡＭ、ＲＴＣなどを内蔵したＣＰＵである。
【００１６】
フラッシュメモリ２２は、各種の情報を記憶する不揮発性メモリである。フラッシュメモリ２２は、例えば、プロセッサ２１が実行するアプリケーションプログラムを記憶する。通信インターフェース２３は、端末装置２００をネットワーク５１０に接続するための通信インターフェースである。通信インターフェース２３は、例えば、無線ＬＡＮ用の通信インターフェースである。タッチスクリーン２４は、ユーザによりなされた操作を検知し、検知の結果を示す信号をプロセッサ２１に供給する。また、タッチスクリーン２４は、プロセッサ２１による制御に従って、情報を表示する。端末装置２００は、例えば、スマートフォン、又は、タブレット端末である。
【００１７】
複数の設備機器３００は、制御装置１００により制御される機器であり、例えば、宅内に設置される設備機器である。複数の設備機器３００は、例えば、家電機器、防犯設備、エネルギー計測装置、又は、環境計測装置である。家電機器は、例えば、ルームエアコン、テレビ、照明装置、ＩＨ（Induction Heating）調理器、換気扇、空気清浄機、送風機、又は、給湯器である。防犯設備は、例えば、電気錠、電動ブラインド、又は、電動シャッターである。エネルギー計測装置は、例えば、電気の使用量を計測する装置、又は、ガスの使用量を計測する装置である。環境計測装置は、例えば、温度センサー、湿度センサー、又は、日射センサーである。複数の設備機器３００は、ネットワーク５２０に接続するための通信インターフェース（図示せず）を備える。
【００１８】
次に、図２を参照して、制御装置１００の機能について説明する。図２に示すように、制御装置１００は、機能的には、通信部１１０と、制御部１２０と、記憶部１３０とを備える。制御装置１００が備える通信手段は、例えば、通信部１１０に対応する。制御手段は、例えば、制御部１２０に対応する。記憶手段は、例えば、記憶部１３０に対応する。
【００１９】
通信部１１０は、制御装置１００を、端末装置２００と複数の設備機器３００とに接続する。通信部１１０は、端末装置２００から連動内容情報を受信する。連動内容情報は、複数の設備機器３００のうち少なくとも２つの設備機器の連動制御の内容を示す情報である。通信部１１０は、端末装置２００から連動指示操作情報を受信する。連動指示操作情報は、連動指示操作がなされたことを示す情報である。連動指示操作は、制御装置１００に連動制御を実行させることを指示する操作である。通信部１１０の機能は、例えば、第１通信インターフェース１３の機能により実現される。
【００２０】
制御部１２０は、制御装置１００の全体の動作を制御する。制御部１２０は、連動制御を設定する処理を実行する。また、制御部１２０は、連動制御を実行する。制御部１２０は、機能的には、機器制御部１２１と、連動制御判別部１２２と、情報転送部１２３と、を備える。機器制御部１２１は、通信部１１０により連動指示操作情報が受信された場合、連動内容情報により示される連動制御の内容に基づいて、少なくとも２つの設備機器を連動制御する。連動内容情報は、連動制御の内容を示す情報である。
【００２１】
連動制御判別部１２２は、ユーザが設定しようとしている連動制御が適切な連動制御であるか否かを判別する。連動制御判別部１２２は、指定連動パターンが、少なくとも１つの警告連動パターンのうちいずれかの警告連動パターンと一致するか否かを判別する。指定連動パターンは、ユーザにより指定された連動パターンである。警告連動パターンは、警告すべき連動パターンである。
【００２２】
情報転送部１２３は、記憶部１３０に記憶された情報を、通信部１１０を介して端末装置２００に送信し、通信部１１０が端末装置２００から受信した情報を記憶部１３０に供給する。情報転送部１２３は、機器情報、機器状態情報、アイコン情報、連動パターン情報、効果情報、及び、推奨可否情報を、端末装置２００に送信する。また、情報転送部１２３は、通信部１１０が端末装置２００から受信した連動内容情報を、記憶部１３０に供給する。制御部１２０の機能は、例えば、プロセッサ１１の機能により実現される。
【００２３】
記憶部１３０は、連動制御の設定処理で使用される情報と、連動制御の実行処理で使用される情報とを記憶する。記憶部１３０は、機器情報、機器状態情報、アイコン情報、ユーザ情報、連動内容情報、連動パターン情報、効果情報、推奨可否情報、及び、警告連動パターン情報を記憶する。機器情報は、複数の設備機器３００に関する各種の情報である。機器情報は、例えば、設備機器３００毎に、設備機器３００の種別、設備機器３００が有する機能、設備機器３００に対して実行可能な制御の内容、及び、設備機器３００が配置された位置を示す情報である。機器状態情報は、例えば、設備機器３００毎に、設備機器３００の制御状態、及び、設備機器３００が出力する値を示す情報である。
【００２４】
アイコン情報は、個別アイコンを構成する画像と連動指示アイコンを構成する画像とを示す情報である。個別アイコンは、設備機器３００を個別に制御するときに用いるアイコンである。連動指示アイコンは、少なくとも２つの設備機器３００を連動制御するときに用いるアイコンである。ユーザ情報は、制御システム１０００のユーザに関する情報である。ユーザ情報は、例えば、ユーザを識別するためのＩＤ、ユーザにより設定されたパスワード、及び、ユーザに付与された権限を示す情報である。
【００２５】
連動内容情報は、ユーザにより設定された連動制御の内容を示す情報である。連動内容情報は、例えば、対象機器と、対象機器に対する制御内容と、少なくとも１つの連動機器と、少なくとも１つの連動機器に対する制御内容と、を示す情報である。対象機器は、連動制御に関わる少なくとも２つの設備機器３００のうち、いずれか１つの設備機器３００である。対象機器は、例えば、連動制御の設定時に、ユーザにより最初に選択された設備機器３００である。連動機器は、連動制御に関わる少なくとも２つの設備機器３００のうち、対象機器以外の設備機器３００である。
【００２６】
連動パターン情報は、複数の連動パターンを示す情報である。連動パターンは、例えば、複数の設備機器３００のうち少なくとも２つの設備機器と、この少なくとも２つの設備機器３００に対する制御内容とにより指定される。連動パターン情報により示される連動パターンは、例えば、典型的に用いられる連動パターンである。効果情報は、複数の連動パターンのそれぞれと、少なくとも１つの効果とが対応付けられた情報である。この効果は、連動パターンにより指定される連動制御を実行することにより得られることが期待される効果である。この効果は、例えば、省エネと防犯と利便性の向上と快適性の向上とのいずれかである。本実施形態では、これらの効果のうち最も期待される１つの効果が、１つの連動パターンに対応付けられるものとする。
【００２７】
推奨可否情報は、複数の連動パターンのそれぞれが、推奨される連動パターンであるか否かを示す情報である。例えば、上述した効果が特に期待できる連動パターン、メーカーが推奨する連動パターン、又は、ユーザによる評価が高い連動パターンが、推奨される連動パターンに設定される。警告連動パターン情報は、少なくとも１つの警告連動パターンを示す情報である。警告連動パターンは、警告すべき連動パターンである。警告連動パターンは、例えば、省エネ、又は、防犯の観点から、少なくとも、実行前にユーザに警告した方がよいと考えられる連動制御を示す連動パターンである。
【００２８】
警告連動パターンは、禁止連動パターン、又は、禁止連動パターン以外の警告連動パターンである。禁止連動パターンは、例えば、省エネ、又は、防犯の観点から、実行することが禁止された連動制御を示す連動パターンである。禁止連動パターン以外の警告連動パターンは、例えば、省エネ、又は、防犯の観点から、実行しない方が望ましいが実行可能な連動制御を示す連動パターンである。警告連動パターン、又は、禁止連動パターンは、ユーザ毎に異なっていてもよい。例えば、子供のユーザに対して禁止連動パターンに設定された連動パターンが、大人のユーザに対して禁止連動パターン以外の警告連動パターンに設定されてもよい。記憶部１３０の機能は、例えば、フラッシュメモリ１２の機能により実現される。
【００２９】
次に、図３を参照して、端末装置２００の機能について説明する。図３に示すように、端末装置２００は、機能的には、通信部２１０と、制御部２２０と、記憶部２３０と、操作受付部２４０と、表示部２５０と、を備える。端末装置が備える通信手段は、例えば、通信部２１０に対応する。端末装置が備える操作受付手段は、例えば、操作受付部２４０に対応する。端末装置が備える表示手段は、例えば、表示部２５０に対応する。
【００３０】
通信部２１０は、端末装置２００を、制御装置１００に接続する。通信部２１０は、操作受付部２４０により連動設定操作が受け付けられた場合、この連動設定操作により指示された連動制御の内容を示す連動内容情報を制御装置１００に送信する。通信部２１０は、操作受付部２４０により連動指示操作が受け付けられた場合、連動指示操作がなされたことを示す情報である連動指示操作情報を制御装置１００に送信する。通信部２１０の機能は、例えば、通信インターフェース２３の機能により実現される。
【００３１】
制御部２２０は、端末装置２００の全体の動作を制御する。制御部２２０は、連動制御を設定する処理を実行する。また、制御部２２０は、表示部２５０に表示させる画面を生成する。また、制御部２２０は、連動内容情報を、通信部２１０を介して制御装置１００に送信し、通信部２１０が制御装置１００から受信した情報を記憶部２３０に供給する。記憶部２３０に供給される情報は、機器情報、機器状態情報、アイコン情報、連動パターン情報、効果情報、及び、推奨可否情報である。制御部２２０は、機能的には、画面生成部２２１を備える。画面生成部２２１は、機器情報と機器状態情報とアイコン情報と連動パターン情報と効果情報と推奨可否情報とに基づいて、操作画面と設定画面と警告画面とを生成する。制御部２２０の機能は、例えば、プロセッサ２１の機能により実現される。
【００３２】
記憶部２３０は、連動制御の設定処理で使用される情報を記憶する。記憶部２３０は、機器情報と機器状態情報とアイコン情報と連動パターン情報と効果情報と推奨可否情報とを記憶する。記憶部２３０の機能は、例えば、フラッシュメモリ２２の機能により実現される。
【００３３】
操作受付部２４０は、ユーザから各種の操作を受け付ける。例えば、操作受付部２４０は、複数の個別アイコンを提示する操作画面が表示されているときに、複数の個別アイコンに対する個別指示操作をユーザから受け付ける。個別アイコンは、個別指示操作を受け付けるためのアイコンである。個別操作指示は、制御装置１００に１つの設備機器３００に対する個別制御を実行させることを指示する操作である。
【００３４】
また、操作受付部２４０は、この操作画面が表示されているときに、連動設定操作をユーザから受け付ける。この連動設定操作は、複数の個別アイコンのうち少なくとも１つの個別アイコンを用いた操作である。連動設定操作に用いられる個別アイコンは、対象機器の指定に用いられる個別アイコンである。また、操作受付部２４０は、操作画面が提示する連動指示アイコンに対する連動指示操作を、ユーザから受け付ける。操作受付部２４０の機能は、例えば、タッチスクリーン２４の機能により実現される。
【００３５】
表示部２５０は、操作画面と設定画面と警告画面とを表示する。操作画面は、複数の個別指示アイコンを提示する画面であり、連動設定操作を受け付けるための画面である。操作画面は、連動設定操作が受け付けられた場合、更に、連動指示アイコンを提示する。また、表示部２５０は、第１設備機器に対応する個別アイコンが指定され、連動パターン情報により示される複数の連動パターンに、第１連動パターンが含まれている場合、第２設備機器に対応する個別アイコンを、指定可能な個別アイコンであることを明示する態様で表示する。第１連動パターンは、第１設備機器と第２設備機器とを含む連動パターンである。第１設備機器は、例えば、複数の設備機器３００のうち最初に指定された設備機器である。第１設備機器は、対象機器の候補である。第２設備機器は、例えば、複数の設備機器３００のうち第１設備機器とともに第１連動パターンに含まれている設備機器３００である。第２設備機器は、連動機器の候補である。
【００３６】
また、表示部２５０は、第１設備機器に対応する個別アイコンが指定され、連動パターン情報により示される複数の連動パターンに、第１連動パターンが含まれている場合、第２設備機器に対応する個別アイコンを、効果情報により第１連動パターンに対応付けられた少なくとも１つの効果に対応する態様で表示する。また、表示部２５０は、第１設備機器に対応する個別アイコンが指定され、連動パターン情報により示される複数の連動パターンに、第１連動パターンが含まれ、推奨可否情報により第１連動パターンが推奨される連動パターンであることが示されている場合、第２設備機器に対応する個別アイコンを、連動対象として推奨される設備機器３００に対応する個別アイコンであることを明示する態様で表示する。
【００３７】
また、表示部２５０は、指定連動パターンが警告連動パターンである場合、警告画面を表示する。警告画面は、指定連動パターンが警告連動パターンであることを警告する画面である。警告画面は、指定連動パターンを採用することの可否を問い合わせる情報を提示する画面であってもよい。表示部２５０は、操作受付部２４０により採用指示操作が受け付けられた場合、指定連動パターンに対応する連動指示アイコンを提示する操作画面を表示する。表示部２５０の機能は、例えば、タッチスクリーン２４の機能により実現される。
【００３８】
次に、図４を参照して、連動パターン情報について説明する。図４に示すように、連動パターン情報は、複数の連動パターンを示す情報である。連動パターンは、識別番号と、対象機器と、対象機器に対する制御内容と、連動機器と、連動機器に対する制御内容とを含む。連動機器の個数は、１つ以上であれば何個であってもよい。制御内容は、例えば、動作モードと制御とにより指定される。
【００３９】
図４には、連動パターン情報が、効果情報と推奨可否情報とを含んでいる例を示している。ただし、連動パターン情報は、効果情報と推奨可否情報とを含んでいなくてもよい。図４には、識別番号が３である連動パターンが、エアコンを暖房オンに制御するとともに、ブラインドを自動Ｂモードでオンに制御する連動パターンであること、省エネ効果が期待できる連動パターンであること、及び、推奨される連動パターンであることが示されている。また、図４には、識別番号が４である連動パターンが、エアコンを暖房オフに制御するとともに、ブラインドを通常モードで遮蔽Ｃに制御する連動パターンであること、利便性の向上が期待できる連動パターンであること、及び、推奨される連動パターンでないことが示されている。
【００４０】
次に、図５を参照して、警告連動パターン情報について説明する。図５に示すように、警告連動パターン情報は、複数の警告連動パターンを示す情報である。警告連動パターンは、識別番号と、対象機器と、対象機器に対する制御内容と、連動機器と、連動機器に対する制御内容と、強制連動の可否と、を含む。連動機器の個数は、１つ以上であれば何個であってもよい。なお、図５には、制御内容を簡略化した例を示している。
【００４１】
図５には、識別番号が１である警告連動パターンが、エアコンＡを冷房に制御するとともに、エアコンＢを暖房に制御する連動パターンであること、及び、強制連動が可能であることが示されている。また、図５には、識別番号が４である警告連動パターンが、テレビをオフに制御するとともに、電気錠を開に制御する連動パターンであること、及び、強制連動が不可能であることが示されている。
【００４２】
次に、図６のフローチャートを参照して、端末装置２００が実行する操作画面表示処理について説明する。なお、操作画面表示処理は、例えば、端末装置２００が備えるタッチスクリーン２４に対して、操作画面の表示開始を指示する操作が受け付けられたことに応答して実行される。
【００４３】
まず、端末装置２００は、画面生成情報を取得する（ステップＳ１０１）。画面生成情報は、操作画面を生成するために必要な情報であり、例えば、機器情報と機器状態情報とアイコン情報とを含む情報である。端末装置２００は、制御装置１００に画面生成情報の送信要求を送信し、制御装置１００から画面生成情報を受信する。端末装置２００は、ステップＳ１０１の処理を完了すると、連動パターン情報を取得する（ステップＳ１０２）。端末装置２００は、制御装置１００に連動パターン情報の送信要求を送信し、制御装置１００から連動パターン情報を受信する。なお、連動パターン情報は、効果情報と推奨可否情報とを含むものとする。
【００４４】
端末装置２００は、ステップＳ１０２の処理を完了すると、操作画面を表示する（ステップＳ１０３）。端末装置２００は、例えば、図９に示す画面６００を表示する。画面６００は、初期状態の操作画面である。画面６００には、カーソル６１０と、アイコン６２０と、アイコン６３０と、アイコン６４０と、アイコン６５０と、アイコン６６０と、アイコン６７０とが提示されている。カーソル６１０は、アイコンを指定するためのカーソルである。カーソル６１０は、表示されなくてもよい。
【００４５】
アイコン６２０は、部屋Ａに設置された照明を示す個別アイコンである。アイコン６３０は、部屋Ａに設置されたエアコンを示す個別アイコンである。アイコン６４０は、部屋Ａに設置されたテレビを示す個別アイコンである。アイコン６５０は、部屋Ｂに設置された照明を示す個別アイコンである。アイコン６６０は、部屋Ｂに設置されたエアコンを示す個別アイコンである。アイコン６７０は、部屋Ｂに設置された冷蔵庫を示す個別アイコンである。
【００４６】
端末装置２００は、ステップＳ１０３の処理を完了すると、いずれかの個別アイコンに対する長押し操作があるか否かを判別する（ステップＳ１０４）。端末装置２００は、長押し操作があると判別すると（ステップＳ１０４：ＹＥＳ）、個別アイコンの表示態様を変更する（ステップＳ１０５）。例えば、端末装置２００は、図１０に示すように、個別アイコンの表示態様が変更された提示画面である画面６０１を表示する。
【００４７】
ここで、アイコン６４０が長押しされたものとする。この場合、アイコン６４０は、長押しにより選択された個別アイコンであるため、強調表示されたアイコン６４１に変化する。また、アイコン６２０は、部屋Ａに設置された照明と部屋Ａに設置されたテレビとの組み合わせが可能であることを示す選択可能明示画像と、この組み合わせが快適性を向上させる可能性があることを示す快適性向上明示画像とが重ねられた態様のアイコン６２１に変化する。選択可能明示画像は、丸の中に＋を含む画像である。快適性向上明示画像は、笑顔を表す画像である。
【００４８】
また、アイコン６３０は、部屋Ａに設置されたエアコンと部屋Ａに設置されたテレビとの組み合わせが可能であることを示す選択可能明示画像と、この組み合わせが快適性を向上させる可能性があることを示す快適性向上明示画像と、この組み合わせが省エネに繋がる可能性があることを示す省エネ明示画像とが重ねられた態様のアイコン６３１に変化する。省エネ明示画像は、葉っぱの画像である。なお、アイコン６３１は、この組み合わせが推奨される組み合わせである可能性があることを明示するために強調表示される。また、アイコン６５０は、部屋Ｂに設置された照明と部屋Ａに設置されたテレビとの組み合わせが可能であることを示す選択可能明示画像と、この組み合わせが防犯に繋がる可能性があることを示す防犯明示画像とが重ねられた態様のアイコン６５１に変化する。図１０において、画像６９１は選択可能明示画像であり、画像６９２は快適性向上明示画像であり、画像６９３は省エネ明示画像であり、画像６９４は防犯明示画像である。
【００４９】
また、アイコン６６０は、部屋Ｂに設置されたエアコンと部屋Ａに設置されたテレビとの組み合わせが可能であることを示す選択可能明示画像と、この組み合わせが快適性を向上させる可能性があることを示す快適性向上明示画像と、この組み合わせが省エネに繋がる可能性があることを示す省エネ明示画像とが重ねられた態様のアイコン６６１に変化する。一方、アイコン６７０は、部屋Ｂに設置された冷蔵庫と部屋Ａに設置されたテレビとの組み合わせが不可能であることを明示するために輝度値が低いアイコン６７１に変化する。端末装置２００は、連動パターン情報と効果情報と推奨可否情報とに基づいて、個別アイコンの表示態様を変化させる。
【００５０】
端末装置２００は、ステップＳ１０５の処理を完了すると、個別アイコンの選択操作があるか否かを判別する（ステップＳ１０６）。端末装置２００は、個別アイコンの選択操作があると判別すると（ステップＳ１０６：ＹＥＳ）、設定画面表示処理を実行する（ステップＳ１０７）。以下、図７に示すフローチャートを参照して、設定画面表示処理について説明する。
【００５１】
まず、端末装置２００は、設定画面を表示する（ステップＳ２０１）。図１１に示すように、例えば、設定画面である画面７００は、操作画面である画面６０１に重ねて表示される。なお、部屋Ａに設置されたエアコン（以下「エアコンＡ」という。）に対応する個別アイコンに対する選択操作がされたものとする。この場合、画面７００は、テレビに対する制御内容とエアコンＡに対する制御内容とが設定可能な設定画面となる。画面７００には、ボタン７１０とボタン７２０と画像６９２とが提示される。ボタン７１０は、連動設定Ａを採用する場合に押圧されるボタンである。ボタン７２０は、連動設定Ａをキャンセルする場合に押圧されるボタンである。画像６９２は、設定しようとしている連動制御が快適性を向上させる可能性があることを示す画像である。このように、画面７００には、設定しようとしている連動制御により期待できる効果を示す画像が含まれていてもよい。なお、端末装置２００は、機器情報に基づいて、画面７００を生成することができる。
【００５２】
端末装置２００は、ステップＳ２０１の処理を完了すると、連動制御の設定を受け付ける（ステップＳ２０２）。端末装置２００は、ステップＳ２０２の処理を完了すると、設定中止操作があるか否かを判別する（ステップＳ２０３）。設定中止操作は、例えば、ボタン７２０に対する押圧操作である。端末装置２００は、設定中止操作があると判別すると（ステップＳ２０３：ＹＥＳ）、設定画面表示処理を終了する。一方、端末装置２００は、設定中止操作がないと判別すると（ステップＳ２０３：ＮＯ）、設定完了操作があるか否かを判別する（ステップＳ２０４）。設定完了操作は、例えば、ボタン７１０に対する押圧操作である。
【００５３】
端末装置２００は、設定完了操作がないと判別すると（ステップＳ２０４：ＮＯ）、ステップＳ２０２に処理を戻す。一方、端末装置２００は、設定完了操作があると判別すると（ステップＳ２０４：ＹＥＳ）、制御装置１００に連動内容情報を送信する（ステップＳ２０５）。端末装置２００は、ステップＳ２０５の処理を完了すると、判別結果情報を制御装置１００から受信する（ステップＳ２０６）。端末装置２００は、ステップＳ２０６の処理を完了すると、判別結果情報に基づいて、指定連動パターンが警告連動パターンであるか否かを判別する（ステップＳ２０７）。
【００５４】
端末装置２００は、指定連動パターンが警告連動パターンでないと判別すると（ステップＳ２０７：ＮＯ）、制御装置１００に連動内容確定情報を送信し（ステップＳ２１２）、設定画面表示処理を完了する。一方、端末装置２００は、指定連動パターンが警告連動パターンであると判別すると（ステップＳ２０７：ＹＥＳ）、警告画面を表示する（ステップＳ２０８）。図１３に、警告画面である画面８００を示す。画面８００は、選択された連動設定が推奨されない連動設定であること提示し、選択された連動設定を採用するか否かを問い合わせ、採用の可否を指示する操作を受け付ける画面である。画面８００は、ボタン８１０とボタン８２０とを提示する。ボタン８１０は、連動設定Ａを採用する場合に押圧されるボタンである。ボタン８２０は、連動設定Ａをキャンセルする場合に押圧されるボタンである。
【００５５】
端末装置２００は、ステップＳ２０８の処理を完了すると、判別結果情報に基づいて、指定連動パターンが禁止連動パターンであるか否かを判別する（ステップＳ２０９）。端末装置２００は、指定連動パターンが禁止連動パターンであると判別すると（ステップＳ２０９：ＹＥＳ）、ステップＳ２０２に処理を戻す。一方、端末装置２００は、指定連動パターンが禁止連動パターンでないと判別すると（ステップＳ２０９：ＮＯ）、強制設定指示操作を受け付ける（ステップＳ２１０）。
【００５６】
端末装置２００は、ステップＳ２１０の処理を完了すると、強制設定指示操作があるか否かを判別する（ステップＳ２１１）。端末装置２００は、強制設定指示操作があると判別すると（ステップＳ２１１：ＹＥＳ）、制御装置１００に連動内容確定情報を送信し（ステップＳ２１２）、設定画面表示処理を完了する。なお、端末装置２００は、ステップＳ２１２において、設定画面の表示を終了し、操作画面を更新する。
【００５７】
図１２に、更新後の設定画面である画面６０２を示す。画面６０２は、設定された連動設定に対応するアイコンである連動指示アイコン６８０を提示する。連動指示アイコン６８０は、例えば、アイコン６４０にアイコン６３０を重ねた体裁のアイコンである。一方、端末装置２００は、強制設定指示操作がないと判別すると（ステップＳ２１１：ＮＯ）、ステップＳ２０２に処理を戻す。なお、端末装置２００は、ボタン８１０が押圧された場合、強制設定指示操作があると判別し、ボタン８２０が押圧された場合、強制設定指示操作がないと判別する。
【００５８】
端末装置２００は、ステップＳ１０７の処理を完了した場合、長押し操作がないと判別した場合（ステップＳ１０４：ＮＯ）、又は、個別アイコンの選択操作がないと判別した場合（ステップＳ１０６：ＮＯ）、個別指示操作があるか否かを判別する（ステップＳ１０８）。端末装置２００は、個別指示操作があると判別すると（ステップＳ１０８：ＹＥＳ）、個別指示操作情報を制御装置１００に送信する（ステップＳ１０９）。個別指示操作情報は、個別指示操作がなされたことを示す情報であり、例えば、個別制御の対象となる設備機器３００と制御内容とを示す情報である。端末装置２００は、ステップＳ１０９の処理を完了した場合、又は、個別指示操作がないと判別した場合（ステップＳ１０８：ＮＯ）、連動指示操作があるか否かを判別する（ステップＳ１１０）。
【００５９】
端末装置２００は、連動指示操作がないと判別すると（ステップＳ１１０：ＮＯ）、ステップＳ１０４に処理を戻す。一方、端末装置２００は、連動指示操作があると判別すると（ステップＳ１１０：ＹＥＳ）、制御装置１００に連動指示操作情報を送信し（ステップＳ１１１）、ステップＳ１０４に処理を戻す。
【００６０】
次に、図８のフローチャートを参照して、制御装置１００が実行する連動制御処理について説明する。連動制御処理は、例えば、制御装置１００の電源がオンされると実行される。
【００６１】
まず、制御装置１００は、端末装置２００から画面生成情報の取得要求があるか否かを判別する（ステップＳ３０１）。制御装置１００は、画面生成情報の取得要求があると判別すると（ステップＳ３０１：ＹＥＳ）、端末装置２００に画面生成情報を送信する（ステップＳ３０２）。制御装置１００は、ステップＳ３０２の処理を完了すると、連動パターン情報を送信する（ステップＳ３０３）。制御装置１００は、ステップＳ３０３の処理を完了した場合、又は、画面生成情報の取得要求がないと判別した場合（ステップＳ３０１：ＮＯ）、端末装置２００から連動内容情報を受信したか否かを判別する（ステップＳ３０４）。
【００６２】
制御装置１００は、連動内容情報を受信したと判別すると（ステップＳ３０４：ＹＥＳ）、指定連動パターンが警告連動パターンであるか否かを判別する（ステップＳ３０５）。制御装置１００は、連動内容情報と警告連動パターン情報とに基づいて、指定連動パターンが警告連動パターンであるか否かを判別する。制御装置１００は、ステップＳ３０５の処理を完了すると、端末装置２００に判別結果情報を送信する（ステップＳ３０６）。制御装置１００は、ステップＳ３０６の処理を完了すると、端末装置２００から連動内容確定情報を受信したか否かを判別する（ステップＳ３０７）。
【００６３】
制御装置１００は、連動内容確定情報を受信したと判別すると（ステップＳ３０７：ＹＥＳ）、連動内容を確定する（ステップＳ３０８）。制御装置１００は、ステップＳ３０８の処理を完了した場合、連動内容情報を受信していないと判別した場合（ステップＳ３０４：ＮＯ）、又は、連動内容確定情報を受信していないと判別した場合（ステップＳ３０７：ＮＯ）、個別指示操作情報を受信したか否かを判別する（ステップＳ３０９）。制御装置１００は、個別指示操作情報を受信したと判別すると（ステップＳ３０９：ＹＥＳ）、設備機器３００を個別制御する（ステップＳ３１０）。
【００６４】
制御装置１００は、ステップＳ３１０の処理を完了した場合、又は、個別指示操作情報を受信していないと判別した場合（ステップＳ３０９：ＮＯ）、連動指示操作情報を受信したか否かを判別する（ステップＳ３１１）。制御装置１００は、連動指示操作情報を受信したと判別すると（ステップＳ３１１：ＹＥＳ）、複数の設備機器３００を連動制御する（ステップＳ３１２）。例えば、制御装置１００は、連動内容情報により示される連動内容に従って、対象機器と少なくとも１つの連動機器とを順に制御する。制御装置１００は、ステップＳ３１２の処理を完了した場合、又は、連動指示操作情報を受信していないと判別した場合（ステップＳ３１１：ＮＯ）、ステップＳ３０１に処理を戻す。
【００６５】
以上説明したように、本実施形態では、操作画面において連動設定操作が受け付けられ、操作画面に連動設定指示アイコンが提示され、連動設定指示アイコンが操作されると連動制御が実行される。従って、本実施形態によれば、簡単な操作で連動制御を設定することができ、また、簡単な操作で連動制御を実行することができる。また、本実施形態によれば、自由に連動制御を設定することができる。
【００６６】
また、本実施形態では、対象機器が選択された場合、対象機器に連動させる連動機器として選択可能な設備機器３００に対応する個別アイコンが、特定の態様で提示される。従って、本実施形態によれば、連動機器として選択可能な設備機器３００を、ユーザに分かりやすく知らせることができる。
【００６７】
また、本実施形態では、連動機器として選択可能な設備機器３００に対応する個別アイコンが、連動機器として選択したときに得られることが期待される効果に対応する態様で提示される。従って、本実施形態によれば、連動機器として選択したときに得られることが期待される効果を、ユーザに分かりやすく知らせることができる。
【００６８】
また、本実施形態では、連動機器として選択可能な設備機器３００に対応する個別アイコンが、推奨される連動制御に関わる設備機器３００に対応する個別アイコンであるか否かを明示する態様で提示される。従って、本実施形態によれば、連動機器として選択可能な設備機器３００が、推奨される連動制御に関わる設備機器３００であるか否かを、ユーザに分かりやすく知らせることができる。
【００６９】
また、本実施形態では、選択しようとする連動パターンが警告連動パターンである場合、警告画面が提示される。従って、本実施形態によれば、選択しようとする連動パターンが推奨されない連動パターンであるか否かを、ユーザに分かりやすく知らせることができる。
【００７０】
また、本実施形態では、選択しようとする連動パターンが警告連動パターンであって禁止連動パターンでない場合、ユーザの裁量により選択しようとする連動パターンを採用するか否かが指定可能となる。従って、本実施形態によれば、ユーザの選択余地を広げ、連動設定の自由度を高めることができる。
【００７１】
（実施形態２）
実施形態２では、図１４に示すように、制御システム１１００が、制御装置１０１と端末装置２００とに加え、クラウドサーバ４００を備える例について説明する。制御装置１０１は、ブロードバンドルータ４１０とネットワーク５３０とを介して、クラウドサーバ４００と接続される。ブロードバンドルータ４１０は、制御装置１０１をネットワーク５３０に接続するための装置である。ネットワーク５３０は、広域通信ネットワークであり、例えば、インターネットである。第３ネットワークは、例えば、ネットワーク５３０に対応する。
【００７２】
制御装置１０１は、プロセッサ１１とフラッシュメモリ１２と第１通信インターフェース１３とに加え、第２通信インターフェース１４を備える。第２通信インターフェース１４は、制御装置１０１を、ブロードバンドルータ４１０を介してネットワーク５３０に接続するための通信インターフェースである。第２通信インターフェース１４は、例えば、ＮＩＣ（Network Interface Card）である。
【００７３】
クラウドサーバ４００は、クラウドコンピューティングにおける各種のサービスを提供するサーバである。クラウドサーバ４００は、少なくとも１つの制御装置１０１から、連動制御に対する評価を示す情報（以下「評価情報」という。）を収集する。クラウドサーバ４００は、収集した評価情報に基づいて、推奨される連動パターンである推奨連動パターンを特定する。クラウドサーバ４００は、推奨連動パターンを示す情報である推奨連動パターン情報を、制御装置１０１に提供する。クラウドサーバ４００は、ネットワーク５３０に接続する機能を有する。
【００７４】
クラウドサーバ４００は、プロセッサ４１と、ハードディスク４２と、通信インターフェース４３と、を備える。プロセッサ４１は、クラウドサーバ４００の全体の動作を制御する。プロセッサ４１は、例えば、ＲＯＭ、ＲＡＭ、ＲＴＣなどを内蔵したＣＰＵである。ハードディスク４２は、各種の情報を記憶する装置である。ハードディスク４２は、プロセッサ４１が実行するプログラムを記憶する。また、ハードディスク４２は、評価情報と推奨連動パターン情報とを記憶する。通信インターフェース４３は、クラウドサーバ４００をネットワーク５３０に接続するための通信インターフェースである。通信インターフェース４３は、例えば、ＮＩＣを備える。
【００７５】
次に、図１５を参照して、制御装置１０１の機能について説明する。制御装置１０１は、機能的には、通信部１１１と、制御部１２５と、記憶部１３１とを備える。通信部１１１は、制御装置１０１を、端末装置２００と、複数の設備機器３００と、クラウドサーバ４００とに接続する。通信部１１１の機能は、例えば、第１通信インターフェース１３の機能と第２通信インターフェース１４の機能とにより実現される。
【００７６】
制御部１２５は、制御装置１０１の全体の動作を制御する。制御部１２５は、機器制御部１２１と連動制御判別部１２２と情報転送部１２３とに加え、評価情報管理部１２４とを備える。評価情報管理部１２４は、評価情報を管理する。評価情報管理部１２４は、端末装置２００から評価情報を取得し、取得した評価情報を、通信部１１１を介してクラウドサーバ４００に送信する。また、評価情報管理部１２４は、通信部１１１がクラウドサーバ４００から受信した推奨連動パターン情報を、記憶部１３１に供給する。評価情報管理部１２４の機能は、例えば、プロセッサ１１の機能により実現される。記憶部１３１は、評価情報管理部１２４から供給された推奨連動パターン情報を記憶する。記憶部１３１の機能は、例えば、フラッシュメモリ１２の機能により実現される。
【００７７】
端末装置２００は、操作受付部２４０を介して、ユーザから、連動制御の評価を指定する操作を受け付ける。端末装置２００が備える制御部２２０は、連動制御の評価を示す評価情報を、制御装置１０１に送信する。また、端末装置２００は、制御装置１０１から推奨連動パターン情報を受信し、記憶部２３０に記憶する。端末装置２００は、操作画面において、連動制御の設定が開始された場合、推奨連動パターン情報により示される推奨連動パターンを提示する。
【００７８】
本実施形態では、連動制御の設定時に、評価情報から求められた推奨連動パターンを提示する操作画面が表示される。従って、本実施形態によれば、実績から推奨される連動パターンを、ユーザに知らせることができる。
【００７９】
（実施形態３）
本実施形態では、端末装置２００が有する機能を制御装置１０２に持たせる例について説明する。つまり、本実施形態にかかる制御装置１０２は、端末装置２００が有するユーザインターフェースと同様のユーザインターフェースを備える。この場合、図１６に示すように、制御装置１０２は、機能的には、通信部１１０と、制御部１２７と、記憶部１３０と、操作受付部１４０と、表示部１５０とを備える。制御装置が備える制御手段は、例えば、制御部１２７に対応する。制御装置が備える記憶手段は、例えば、記憶部１３０に対応する。制御装置が備える操作受付手段は、例えば、操作受付部１４０に対応する。制御装置が備える表示手段は、例えば、表示部１５０に対応する。
【００８０】
通信部１１０は、制御装置１０２を複数の設備機器３００と接続する。通信部１１０の機能は、例えば、第１通信インターフェース１３の機能により実現される。制御部１２７は、制御装置１０２の全体の動作を制御する。制御部１２７は、機能的には、機器制御部１２１と、連動制御判別部１２２と、画面生成部１２６とを備える。画面生成部１２６は、画面生成部２２１と同様の機能を有する。つまり、画面生成部１２６は、操作画面と設定画面と警告画面とを生成する。画面生成部１２６の機能は、例えば、プロセッサ１１の機能により実現される。記憶部１３０は、連動制御の設定と連動制御の実行とに用いられる各種の情報を記憶する。記憶部１３０の機能は、例えば、フラッシュメモリ１２の機能により実現される。
【００８１】
操作受付部１４０は、ユーザから各種の操作を受け付ける。操作受付部１４０は、例えば、連動設定操作と連動指示操作と個別指示操作とをユーザから受け付ける。操作受付部１４０の機能は、例えば、タッチスクリーン（図示せず）の機能により実現される。表示部１５０は、制御部１２７による制御に従って、各種の画面を表示する。表示部１５０は、例えば、画面生成部１２６により生成された、操作画面と設定画面と警告画面とを表示する。表示部１５０の機能は、例えば、タッチスクリーン（図示せず）の機能により実現される。
【００８２】
本実施形態では、制御装置１０２がユーザインターフェースを備える。従って、本実施形態によれば、端末装置２００がなくても、簡単な操作で自由に連動制御を設定及び実行することが可能となる。
【００８３】
（変形例）
以上、本発明の実施形態を説明したが、本発明を実施するにあたっては、種々の形態による変形及び応用が可能である。
【００８４】
本発明において、上記実施形態において説明した構成、機能、動作のどの部分を採用するのかは任意である。また、本発明において、上述した構成、機能、動作のほか、更なる構成、機能、動作が採用されてもよい。また、上記実施形態において説明した構成、機能、動作は、自由に組み合わせることができる。
【００８５】
上記実施形態では、個別アイコンに各種の画像を重ねることで個別アイコンの体裁を変化させる例について説明した。個別アイコンの体裁を変化させる手法は、この例に限定されない。例えば、個別アイコンの色彩、個別アイコンのサイズ、個別アイコンの明るさなどを変化させることにより、個別アイコンの体裁を変化させてもよい。例えば、快適性の向上が期待できる連動機器の個別アイコンを赤色、省エネが期待できる連動機器の個別アイコンを緑色、防犯が期待できる連動機器の個別アイコンを青色にすることができる。例えば、快適性の向上が期待できる連動機器の個別アイコンのサイズを大きく、省エネが期待できる連動機器の個別アイコンのサイズを中程度に、防犯が期待できる連動機器の個別アイコンのサイズを小さくすることができる。例えば、快適性の向上が期待できる連動機器の個別アイコンの明るさを明るく、省エネが期待できる連動機器の個別アイコンの明るさを中程度に、防犯が期待できる連動機器の個別アイコンの明るさを暗くすることができる。
【００８６】
上記実施形態では、連動制御が、実質的に一括制御である例について説明した。本発明において、連動制御は、連携制御であってもよい。この場合、例えば、センサーである対象機器と制御可能な家電機器である連動機器とを含む連動パターンが設定される。そして、例えば、連動制御アイコンが生成された後、センサーから出力される値が予め定められた値になった場合、家電機器に対して予め定められた制御が実行される。
【００８７】
本発明に係る制御装置１００、制御装置１０１、制御装置１０２、端末装置２００、クラウドサーバ４００の動作を規定する動作プログラムを既存のパーソナルコンピュータや情報端末装置に適用することで、当該パーソナルコンピュータ等を本発明に係る制御装置１０１、制御装置１０２、端末装置２００、クラウドサーバ４００として機能させることも可能である。また、このようなプログラムの配布方法は任意であり、例えば、ＣＤ−ＲＯＭ（Compact Disk Read-Only Memory）、ＤＶＤ（Digital Versatile Disk）、メモリカードなどのコンピュータ読み取り可能な記録媒体に格納して配布してもよいし、インターネットなどの通信ネットワークを介して配布してもよい。
【００８８】
本発明は、本発明の広義の精神と範囲を逸脱することなく、様々な実施形態及び変形が可能とされるものである。また、上述した実施形態は、本発明を説明するためのものであり、本発明の範囲を限定するものではない。つまり、本発明の範囲は、実施形態ではなく、請求の範囲によって示される。そして、請求の範囲内及びそれと同等の発明の意義の範囲内で施される様々な変形が、本発明の範囲内とみなされる。
【産業上の利用可能性】
【００８９】
本発明は、制御装置が複数の設備機器を制御する制御システムに適用可能である。
【符号の説明】
【００９０】
１１，２１，４１  プロセッサ、１２，２２  フラッシュメモリ、１３  第１通信インターフェース、１４  第２通信インターフェース、２３，４３  通信インターフェース、２４  タッチスクリーン、４２  ハードディスク、１００，１０１，１０２  制御装置、１１０，１１１，２１０  通信部、１２０，２２０，１２５，１２７  制御部、１２１  機器制御部、１２２  連動制御判別部、１２３  情報転送部、１２４  評価情報管理部、１３０，１３１，２３０  記憶部、２００  端末装置、１２６，２２１  画面生成部、１４０，２４０  操作受付部、１５０，２５０  表示部、３００  設備機器、４１０  ブロードバンドルータ、５１０，５２０，５３０  ネットワーク、６００，６０１，６０２，７００  画面、６１０  カーソル、６２０，６２１，６３０，６３１，６４０，６４１，６５０，６５１，６６０，６６１，６７０，６７１  アイコン、６８０  連動指示アイコン、６９１，６９２，６９３，６９４  画像、７１０，７２０，８１０，８２０  ボタン、８００  画面、１０００，１１００  制御システム
【図１】
2019163144.tif 000003
【図２】
2019163144.tif 000004
【図３】
2019163144.tif 000005
【図４】
2019163144.tif 000006
【図５】
2019163144.tif 000007
【図６】
2019163144.tif 000008
【図７】
2019163144.tif 000009
【図８】
2019163144.tif 000010
【図９】
2019163144.tif 000011
【図１０】
2019163144.tif 000012
【図１１】
2019163144.tif 000013
【図１２】
2019163144.tif 000014
【図１３】
2019163144.tif 000015
【図１４】
2019163144.tif 000016
【図１５】
2019163144.tif 000017
【図１６】
2019163144.tif 000018
【手続補正書】
【提出日】令和2年6月26日(2020.6.26)
【手続補正１】
【補正対象書類名】明細書
【補正対象項目名】０００７
【補正方法】変更
【補正の内容】
【０００７】
上記目的を達成するために、本発明に係る制御システムは、
第１ネットワークを介して複数の設備機器に接続される制御装置と、第２ネットワークを介して前記制御装置に接続される端末装置と、を備える制御システムであって、
前記端末装置は、
前記制御装置に前記複数の設備機器のそれぞれに対する個別制御を実行させることを指示する操作である個別指示操作を受け付けるための複数の個別アイコンを提示する操作画面を表示する表示手段と、
前記操作画面が表示されているときに、前記複数の個別アイコンに対する前記個別指示操作と、前記複数の個別アイコンのうち少なくとも１つの個別アイコンを用いた、前記複数の設備機器のうち少なくとも２つの設備機器の連動制御を設定する操作である連動設定操作とを、ユーザから受け付ける操作受付手段と、
前記連動設定操作が受け付けられた場合、前記連動制御の内容を示す情報である連動内容情報を、前記制御装置に送信する通信手段と、を備え、
前記制御装置は、
前記端末装置から前記連動内容情報を受信する通信手段と、
前記連動内容情報を記憶する記憶手段と、を備え、
前記表示手段は、前記連動設定操作が受け付けられた場合、前記操作画面において、前記制御装置に前記連動制御を実行させることを指示する操作である連動指示操作を受け付けるためのアイコンである連動指示アイコンを提示し、
前記操作受付手段は、前記連動指示操作を前記ユーザから受け付け、
前記端末装置が備える前記通信手段は、前記連動指示操作が受け付けられた場合、前記連動指示操作がなされたことを示す情報である連動指示操作情報を、前記制御装置に送信し、
前記制御装置が備える前記通信手段は、前記端末装置から前記連動指示操作情報を受信し、
前記制御装置は、前記連動指示操作情報が受信された場合、前記連動内容情報により示される前記連動制御の内容に基づいて、前記少なくとも２つの設備機器を連動制御する制御手段を更に備える。
【手続補正２】
【補正対象書類名】特許請求の範囲
【補正対象項目名】全文
【補正方法】変更
【補正の内容】
【特許請求の範囲】
【請求項１】
第１ネットワークを介して複数の設備機器に接続される制御装置と、第２ネットワークを介して前記制御装置に接続される端末装置と、を備える制御システムであって、
前記端末装置は、
前記制御装置に前記複数の設備機器のそれぞれに対する個別制御を実行させることを指示する操作である個別指示操作を受け付けるための複数の個別アイコンを提示する操作画面を表示する表示手段と、
前記操作画面が表示されているときに、前記複数の個別アイコンに対する前記個別指示操作と、前記複数の個別アイコンのうち少なくとも１つの個別アイコンを用いた、前記複数の設備機器のうち少なくとも２つの設備機器の連動制御を設定する操作である連動設定操作とを、ユーザから受け付ける操作受付手段と、
前記連動設定操作が受け付けられた場合、前記連動制御の内容を示す情報である連動内容情報を、前記制御装置に送信する通信手段と、を備え、
前記制御装置は、
前記端末装置から前記連動内容情報を受信する通信手段と、
前記連動内容情報を記憶する記憶手段と、を備え、
前記表示手段は、前記連動設定操作が受け付けられた場合、前記操作画面において、前記制御装置に前記連動制御を実行させることを指示する操作である連動指示操作を受け付けるためのアイコンである連動指示アイコンを提示し、
前記操作受付手段は、前記連動指示操作を前記ユーザから受け付け、
前記端末装置が備える前記通信手段は、前記連動指示操作が受け付けられた場合、前記連動指示操作がなされたことを示す情報である連動指示操作情報を、前記制御装置に送信し、
前記制御装置が備える前記通信手段は、前記端末装置から前記連動指示操作情報を受信し、
前記制御装置は、前記連動指示操作情報が受信された場合、前記連動内容情報により示される前記連動制御の内容に基づいて、前記少なくとも２つの設備機器を連動制御する制御手段を更に備える、
制御システム。
【請求項２】
前記記憶手段は、前記複数の設備機器のうち少なくとも２つの設備機器と、前記少なくとも２つの設備機器に対する制御内容と、を含む複数の連動パターンを示す情報である連動パターン情報を記憶し、
前記表示手段は、前記複数の設備機器のうち第１設備機器に対応する個別アイコンが指定され、前記複数の連動パターンに、前記第１設備機器と前記複数の設備機器のうち第２設備機器とを含む連動パターンである第１連動パターンが含まれている場合、前記第２設備機器に対応する個別アイコンを、指定可能な個別アイコンであることを明示する態様で表示する、
請求項１に記載の制御システム。
【請求項３】
前記記憶手段は、前記複数の連動パターンのそれぞれと、省エネと防犯と利便性の向上と快適性の向上とのうち少なくとも１つの効果とが対応付けられた効果情報を記憶し、
前記表示手段は、前記第１設備機器に対応する前記個別アイコンが指定され、前記複数の連動パターンに前記第１連動パターンが含まれている場合、前記第２設備機器に対応する個別アイコンを、前記効果情報により前記第１連動パターンに対応付けられた少なくとも１つの効果に対応する態様で表示する、
請求項２に記載の制御システム。
【請求項４】
前記記憶手段は、前記複数の連動パターンのそれぞれが、推奨される連動パターンであるか否かを示す推奨可否情報を記憶し、
前記表示手段は、前記第１設備機器に対応する前記個別アイコンが指定され、前記複数の連動パターンに前記第１連動パターンが含まれ、前記推奨可否情報により前記第１連動パターンが推奨される連動パターンであることが示されている場合、前記第２設備機器に対応する個別アイコンを、連動対象として推奨される設備機器に対応する個別アイコンであることを明示する態様で表示する、
請求項２に記載の制御システム。
【請求項５】
前記記憶手段は、警告すべき連動パターンである少なくとも１つの警告連動パターンを示す情報である警告連動パターン情報を記憶し、
前記表示手段は、前記ユーザにより指定された連動パターンである指定連動パターンが、前記少なくとも１つの警告連動パターンのうちいずれかの警告連動パターンと一致する場合、前記指定連動パターンが前記警告すべき連動パターンであることを警告する警告画面を表示する、
請求項２から４のいずれか１項に記載の制御システム。
【請求項６】
前記警告画面は、前記指定連動パターンを採用することの可否を問い合わせる情報を提示する画面であり、
前記表示手段は、前記操作受付手段が前記指定連動パターンを採用することを指示する操作である採用指示操作を前記ユーザから受け付けた場合、前記指定連動パターンに対応する前記連動指示アイコンを提示する前記操作画面を表示する、
請求項５に記載の制御システム。
【請求項７】
第３ネットワークを介して前記制御装置を含む少なくとも１つの制御装置に接続されるクラウドサーバを更に備え、
前記クラウドサーバは、
前記連動制御に対する評価を示す情報である評価情報を、前記少なくとも１つの制御装置から収集する通信手段と、
前記収集された評価情報に基づいて特定される、推奨される連動パターンである推奨連動パターンを示す推奨連動パターン情報を記憶する記憶手段と、を備え、
前記クラウドサーバが備える前記通信手段は、前記クラウドサーバが備える前記記憶手段に記憶された前記推奨連動パターン情報を、前記制御装置に送信し、
前記制御装置が備える前記通信手段は、前記クラウドサーバから前記推奨連動パターン情報を受信し、受信した前記推奨連動パターン情報を前記端末装置に送信し、
前記端末装置が備える前記通信手段は、前記制御装置から前記推奨連動パターン情報を受信し、
前記表示手段は、前記操作受付手段が前記連動設定操作を前記ユーザから受け付ける場合、前記推奨連動パターンを提示する前記操作画面を表示する、
請求項１から６のいずれか１項に記載の制御システム。
【請求項８】
第１ネットワークを介して複数の設備機器に接続される制御装置であって、
前記制御装置に前記複数の設備機器のそれぞれに対する個別制御を実行させることを指示する操作である個別指示操作を受け付けるための複数の個別アイコンを提示する操作画面を表示する表示手段と、
前記操作画面が表示されているときに、前記複数の個別アイコンに対する前記個別指示操作と、前記複数の個別アイコンのうち少なくとも１つの個別アイコンを用いた、前記複数の設備機器のうち少なくとも２つの設備機器の連動制御を設定する操作である連動設定操作とを、ユーザから受け付ける操作受付手段と、
前記連動設定操作が受け付けられた場合、前記連動制御の内容を示す情報である連動内容情報を記憶する記憶手段と、を備え、
前記表示手段は、前記連動設定操作が受け付けられた場合、前記操作画面において、前記制御装置に前記連動制御を実行させることを指示する操作である連動指示操作を受け付けるためのアイコンである連動指示アイコンを提示し、
前記操作受付手段が前記連動指示操作を前記ユーザから受け付けた場合、前記連動内容情報により示される前記連動制御の内容に基づいて、前記少なくとも２つの設備機器を連動制御する制御手段を更に備える、
制御装置。
【請求項９】
制御装置に複数の設備機器のそれぞれに対する個別制御を実行させることを指示する操作である個別指示操作を受け付けるための複数の個別アイコンを提示する操作画面を表示し、
前記操作画面が表示されているときに、前記複数の個別アイコンに対する前記個別指示操作と、前記複数の個別アイコンのうち少なくとも１つの個別アイコンを用いた、前記複数の設備機器のうち少なくとも２つの設備機器の連動制御を設定する操作である連動設定操作とを、ユーザから受け付け、
前記連動設定操作が受け付けられた場合、前記操作画面において、前記制御装置に前記連動制御を実行させることを指示する操作である連動指示操作を受け付けるためのアイコンである連動指示アイコンを提示し、
前記連動指示操作を前記ユーザから受け付けた場合、前記少なくとも２つの設備機器を連動制御する、
制御方法。
【請求項１０】
第１ネットワークを介して複数の設備機器に接続される制御装置が備えるコンピュータを、
前記制御装置に前記複数の設備機器のそれぞれに対する個別制御を実行させることを指示する操作である個別指示操作を受け付けるための複数の個別アイコンを提示する操作画面を表示する表示手段、
前記操作画面が表示されているときに、前記複数の個別アイコンに対する前記個別指示操作と、前記複数の個別アイコンのうち少なくとも１つの個別アイコンを用いた、前記複数の設備機器のうち少なくとも２つの設備機器の連動制御を設定する操作である連動設定操作とを、ユーザから受け付ける操作受付手段、として機能させるプログラムであって、
前記表示手段は、前記連動設定操作が受け付けられた場合、前記操作画面において、前記制御装置に前記連動制御を実行させることを指示する操作である連動指示操作を受け付けるためのアイコンである連動指示アイコンを提示し、
前記プログラムは、前記コンピュータを、更に、
前記操作受付手段が前記連動指示操作を前記ユーザから受け付けた場合、前記少なくとも２つの設備機器を連動制御する制御手段、として機能させる、
プログラム。
【国際調査報告】
2019163144.tif 000019
2019163144.tif 000020
2019163144.tif 000021
2019163144.tif 000022